(57)【要約】　　　（修正有）【課題】底面が組立て式の蓄電池用収納ケースとそれを補強する保護枠とからなり、前記収納ケースおよび保護枠の短側面に手掛穴を備え、前記手掛穴に手を入れて持ち運ぶ際に、蓄電池の重量に耐えられず前記収納ケース底面が破壊され、蓄電池が落下する問題点を解決した安全な収納ケースを提供する。【解決手段】上記仕様の収納ケースにおいて、前記収納ケースの手掛穴５の上面に沿って折れ線部７を介してケース内部に折り曲がると共に、その先端部が保護枠２に設けた手掛穴あるいは蓄電池の蓋１ｂと槽の接合部に形成される段差８に当接する折り曲げ部６ｂを備えた。【選択図】　　　図４
2004146087.tif 000002
【特許請求の範囲】
【請求項１】
ケース本体と前記ケース本体内に配された保護枠とからなり、前記ケース本体および保護枠の側面の互いに対応する位置に手掛穴をそれぞれ備えた蓄電池収納ケースにおいて、
前記ケース本体の手掛穴の上部に、ケース内部に折り曲げたとき前記保護枠の手掛穴に当接する折り曲げ部を設けたことを特徴とする蓄電池用収納ケース。
【発明の詳細な説明】
【０００１】
【発明の属する技術分野】
蓄電池用収納ケースに関する。
【０００２】
【従来の技術】
蓄電池の完成品はダンボール等からなる収納ケース（以降ケースという）に挿入されて出荷される。
【０００３】
図１は、前記ケースの使用例を示す要部斜視図で、１は蓄電池、２は保護枠、３は保護枠の手掛穴、４はケース本体、５はケース本体４の手掛穴をそれぞれ示す。
【０００４】
図２は、ケース本体４の底面４ａを示す底面図で、通常、このように折り曲げ式に組み立てたものが一般的である。
【０００５】
図１および図２に示すように、ケース本体４の底面４ａを組立て、該底面を補強する目的で保護枠２を挿入し、次に蓄電池１を収納して梱包される。蓄電池を収納したケースの持ち運びを容易にするために、ケース本体４の短側面には手掛穴５、保護枠の短側面には手掛穴５に対応する位置に手掛穴３がそれぞれ設けてある。
【０００６】
蓄電池を収納したケースを持ち運ぶ際に手を手掛穴に入れて運ぶのであるが、構造上、手がケースの手掛穴５にのみ掛かり、保護枠２の手掛穴３に掛からないことが多い。その場合には保護枠２は補強の機能をせず、蓄電池重量がケースの底面に直接掛かり底面４ａの組立て部分が破壊され、蓄電池が落下する問題を抱えていた。
【０００７】
【発明が解決しようとする課題】
蓄電池を収納・梱包した上記仕様のケースの手掛穴に手を入れて持ち運ぶ際に、ケース底面が蓄電池の重量に耐えられず破壊され、蓄電池が落下する問題点を解決し、安全なケースを提供することにある。
【０００８】
【課題を解決するための手段】
課題を解決するための手段として、請求項１によれば、蓄電池用収納ケース本体と保護枠とからなり、前記収納ケース本体および保護枠の側面に互いに対応する位置に手掛穴をそれぞれ備えた収納ケースにおいて、
前記収納ケース本体の手掛穴の上部にケース本体内部に折り曲がると共に、その先端部が前記保護枠の手掛穴に当接する折り曲げ部を備えたことを特徴とするものである。
【０００９】
蓄電池は一般的に大きな重量を有しているため、ケース本体の底面の強度を補強するために保護枠が挿入されており、前記保護枠の側面には前記ケース本体側面に設けた手掛穴に対応する位置に手掛穴が設けてある。該ケース本体の手掛穴に手を入れて持ち運ぶ際に、往々にして、該手がケースの手掛穴部分にしか掛からないことが多い。その場合には手の力は保護枠には掛からないので補強機能を十分に発揮せず、蓄電池の重量がケースの底面に直接掛かり、その重量に耐えられずケース本体の底面が破壊され、蓄電池が落下することがあった。
これに対して本発明では、ケース本体の側面に設けた手掛穴の上部に折れ線部を形成し、それをケース本体内部側に折り曲げることによって、ケース本体の手掛穴に手を入れて蓄電池入りケースを持ち運ぶ場合、前記折り曲げ部がケース本体内部に折り曲がって、その先端部が保護枠の手掛穴に当接し、自動的に手の力が保護枠の手掛穴にも掛かることになり、蓄電池の重量は保護枠に掛かり、ケースの底面にはかからないので底面が破壊され蓄電池が落下することを防止でき、安全に持ち運ぶことができる。
【００１０】
【発明の実施の形態】
本発明は、蓄電池用ケース本体の側面に設けられた手掛穴の上部にケース本体内部側に折り曲がる折り曲げ部を備え、この折れ曲がり部が保護枠の手掛穴に当接することによって、保護枠の機能を確実に発揮させ、従来、この種の蓄電池用ケースで発生していた、蓄電池重量による底面の破壊、それによる蓄電池の落下を防止するもので、以下、実施例により詳細に説明する。
【００１１】
【実施例】
図３は本発明の実施例１を示す要部断面図で、６ａは折り曲げ部、７は折れ線部をそれぞれ示す。他の構成部材は図１と同じ番号を付記する。
【００１２】
図３に示すように、ケース本体の手掛穴５の上面に折れ線部７を介して折り曲げ部６ａを設けることによって、前記手掛穴に手を入れると折れ線部７を起点に折り曲げ部６ａはケース本体内部に折り曲がり、その先端部が保護枠に設けた手掛穴３に当接する。そのことによって、ケース４を持ち運ぶためにケース本体の手掛穴５に手を入れた場合に、手の力は保護枠の手掛穴３にもかかり、蓄電池の重量は保護枠２で支え、ケース底面４ａには掛からなくなり、底面４ａが破壊されることが防止でき、安全に持ち運ぶことができる。尚、折れ曲げ部は、例えば、ケース本体の手掛穴の部分を切除せず、ミシン目を入れたり薄肉部にしたりすることにより形成することができる。
【００１３】
図４は本発明の実施例２を示す要部断面図で、１ａは蓄電池の槽、１ｂは蓄電池の蓋．６ｂは折り曲げ部、８は前記槽１ａと蓋１ｂとの段差部をそれぞれ示す。他の構成部材は図２と同じ番号を付記する。
【００１４】
図４に示すように、折り曲げ部６ｂは図３に示した折り曲げ部６ａより長い設計にしてある。そのことによって、ケース本体４の手掛穴５に手を入れてケースを持ち運ぶ際に、折り曲げ部が長いために、その先端が蓄電池の槽１ａと蓋１ｂとの接合部に形成される段差部８に当接する。このことによって、ケースを持ち運ぶために加えられた力は蓄電池を直接支えることになり、蓄電池を保持するケース４の底面の負担はさらに低くなり実施例１よりさらに安全性が高いといえる。
【００１５】
【発明の効果】
蓄電池を挿入・梱包した収納ケースの持ち運びを容易にするためにケース本体の側面に手掛穴が設けてある。その際、底面の強度を補強するために、保護枠が挿入されており、その側面にも手掛穴が設けてあるが、ケース本体の手掛穴に手を入れた際に、往々にして、手が保護枠の手掛穴に掛からないことが多く、蓄電池重量が全てケースの底面に掛かってしまい、その重量に耐えられずその部分が破壊され、蓄電池が落下することがあった。それに対して、本発明では、ケース本体の手掛穴の上面にケース本体内部に曲がる折り曲げ部を設けることによって、ケース本体の手掛穴に手を入れると、自動的に前記折り曲げ部がケース本体内部に折り曲がってその先端が保護枠の手掛穴に当接するので、蓄電池重量がケース底面に掛かることがなく、蓄電池を挿入・梱包したケースの持ち運び時に安全性が確保され、その工業的効果が大である。
【００１６】
【図面の簡単な説明】
【図１】従来の蓄電池用収納ケースを示す要部斜視図。
【図２】従来の蓄電池用収納ケースの底面を示す底面図。
【図３】本発明の実施例１を示す要部断面図。
【図４】本発明の実施例２を示す要部断面図。
【符号の説明】
１　蓄電池
１ａ　蓄電池の槽
１ｂ　蓄電池の蓋
２　保護枠
３　保護枠に設けた手掛穴
４　ケース本体
４ａ　ケース本体の底面
５　ケース本体に設けた手掛穴
６　折り曲げ部
７　折れ線部
８　蓄電池の槽と蓋との接合部に形成される段差
【図１】
2004146087.tif 000003
【図２】
2004146087.tif 000004
【図３】
2004146087.tif 000005
【図４】
2004146087.tif 000006